(57)【要約】【課題】ホース引出しの円滑化ができると共に筐体の薄型化を可能にした消火栓装置を提供する。【解決手段】本発明に係る消火栓装置１は、筐体３内に消火用のホース５を内巻きして収容するホース収容部７と筐体３の前面パネル９に形成した前面開口部９ａに開閉可能に設けた前傾式扉１１とを有し、前傾式扉１１を開放した状態で前面開口部９ａからホース５を引き出す消火栓装置１であって、前面開口部９ａに配置されると共に前後方向に揺動可能に取り付けられ、引き出されるホース５を支持してガイドするホースガイド１３を備えたことを特徴とするものである。【選択図】  図１
2019130156.tif 000002
【特許請求の範囲】
【請求項１】
筐体内に消火用のホースを内巻きして収容するホース収容部と前記筐体の前面パネルに形成した前面開口部に開閉可能に設けた前面扉とを有し、該前面扉を開放した状態で前記前面開口部から前記ホースを引き出す消火栓装置であって、
前記前面開口部に配置されると共に前後方向に揺動可能に取り付けられ、引き出されるホースを支持してガイドするホースガイドを備えたことを特徴とする消火栓装置。
【請求項２】
前記ホースガイドは、下方に向かって凸となるように湾曲又は屈曲した棒状体を吊下げ支持してなることを特徴とする請求項１に記載の消火栓装置。
【請求項３】
前記ホースガイドは、下方に向かって凸となるように垂れ下がる変形自在な線状の部材からなることを特徴とする請求項１に記載の消火栓装置。
【請求項４】
前記ホースガイドは、引き出し時において前記ホースが両端側に移動するのを規制する移動規制部を有することを特徴とする請求項１乃至３のいずれか一項に記載の消火栓装置。
【請求項５】
前記ホースガイドの両端が、前記筐体又は筐体内の固定部に、高さ位置調整可能に取り付けられていることを特徴とする請求項１乃至４のいずれか一項に記載の消火栓装置。
【請求項６】
前記ホースガイドの一端又は両端が着脱可能に取り付けられていることを特徴とする請求項１乃至５のいずれか一項に記載の消火栓装置。
【請求項７】
前記ホースガイドの一端を一時的に保持するための仮保持部を有し、前記ホースガイドの一端を前記仮保持部に保持した状態で前記前面扉が前記ホースガイドと干渉して閉止できないようにしたことを特徴とする請求項６に記載の消火栓装置。
【発明の詳細な説明】
【技術分野】
【０００１】
本発明は、筐体内に消火用のホースを内巻きに巻き回して収容するホース収容部を備えた消火栓装置に関する。
【背景技術】
【０００２】
消火栓装置の筺体内には、消火用のホース（以下、単に「ホース」という）を収容するホース収容部が設けられており、該ホース収容部に収容されるホースは、断面中空円形状の強い保形性のある保形ホースであり、ホース収容部に内巻きして収容されている。
【０００３】
上記の内巻きとは、図１０に示すように、ホース収容部５１という枠の内側に、枠に対してホース５３を内側から押し付けるようにして巻いていく巻き方であり、ホース５３に記載した数字の順で巻き回されている。すなわち、ホース５３は、図１０に示すように、後方から順に最外周を前方に向かって巻いてゆき（丸数字の１〜４）、最も前方にくると、次に、最外周から一段内側に入って、前方から後方に向かって巻いてゆく（丸数字の５〜１０）。さらに、最も後方側まで到達すると、さらに内側に入って後方側から前方に向かって巻いてゆく（丸数字の１１〜１６）、というのを繰り返す。
【０００４】
また、消火栓装置の前面パネルには前面開口部が設けられ、該前面開口部を開閉可能に前面扉が設けられ、該前面扉を開扉状態で前面開口部からホースを引き出すようにしている。
内巻きされたホースを前面開口部から引き出す場合、ホースは前面開口部に向かって下側から上方に向かって立ち上がった後に外部に引き出される。このとき前面開口部の下側でホースが大きく屈曲してホース引出しの円滑化ができず、また放水圧に悪影響を及ぼす可能性があるため、これを解決するために特許文献１では、「ホース取出口の下側を前方に張り出すように形成した張出ホースガイド部を設ける」ことが提案されている。
【先行技術文献】
【特許文献】
【０００５】
【特許文献１】特開２０１０−１１９６３５号公報
【発明の概要】
【発明が解決しようとする課題】
【０００６】
消火栓装置が設置される主な場所としてトンネル内の壁面があり、この場合、例えば監視員通路の壁面に箱抜きして設置されるのが一般的である。
しかしながら、例えばシールドトンネルのようにトンネル壁面が鋼製のセグメントで構築されたトンネルでは箱抜きができず、他の設置場所や設置方法が検討されている。その場合に、もっとも重要となるのは、消火栓装置の筐体の薄型化である。
【０００７】
特許文献１の張出ホースガイド部は、前方に張り出すように設けたパイプによって構成されるものであるため、筐体の薄型化と相反する構造となり、ホースの引き出しの円滑化と筐体の薄型化の両立を図ることはできない。
【０００８】
本発明はかかる課題を解決するためになされたものであり、ホース引出しの円滑化ができると共に筐体の薄型化を可能にした消火栓装置を提供することを目的とする。
【課題を解決するための手段】
【０００９】
（１）本発明に係る消火栓装置は、筐体内に消火用のホースを内巻きして収容するホース収容部と前記筐体の前面パネルに形成した前面開口部に開閉可能に設けた前面扉とを有し、該前面扉を開放した状態で前記前面開口部から前記ホースを引き出す消火栓装置であって、
前記前面開口部に配置されると共に前後方向に揺動可能に取り付けられ、引き出されるホースを支持してガイドするホースガイドを備えたことを特徴とするものである。
【００１０】
（２）また、上記（１）に記載のものにおいて、前記ホースガイドは、下方に向かって凸となるように湾曲又は屈曲した棒状体を吊下げ支持してなることを特徴とするものである。
【００１１】
（３）また、上記（１）に記載のものにおいて、前記ホースガイドは、下方に向かって凸となるように垂れ下がる変形自在な線状の部材からなることを特徴とするものである。
【００１２】
（４）また、上記（１）乃至（３）のいずれかにに記載のものにおいて、前記ホースガイドは、引き出し時において前記ホースが両端側に移動するのを規制する移動規制部を有することを特徴とするものである。
【００１３】
（５）また、上記（１）乃至（４）のいずれかに記載のものにおいて、前記ホースガイドの両端が、前記筐体又は筐体内の固定部に、高さ位置調整可能に取り付けられていることを特徴とするものである。
【００１４】
（６）また、上記（１）乃至（５）のいずれかに記載のものにおいて、前記ホースガイドの一端又は両端が着脱可能に取り付けられていることを特徴とするものである。
【００１５】
（７）また、上記（６）に記載のものにおいて、前記ホースガイドの一端を一時的に保持するための仮保持部を有し、前記ホースガイドの一端を前記仮保持部に保持した状態で前記前面扉が前記ホースガイドと干渉して閉止できないようにしたことを特徴とするものである。
【発明の効果】
【００１６】
本発明に係る消火栓装置においては、筐体内に消火用のホースを内巻きして収容するホース収容部と前記筐体の前面パネルに形成した前面開口部に開閉可能に設けた前面扉とを有し、該前面扉を開放した状態で前記前面開口部から前記ホースを引き出すものにおいて、前記前面開口部に配置されると共に前後方向に揺動可能に取り付けられ、引き出されるホースを支持してガイドするホースガイドを備えたことにより、ホース引出しの際にホースガイドがホースを支持した状態で前方に揺動することで、ホース引出しの円滑化ができると共に筐体の薄型化を実現できる。
【図面の簡単な説明】
【００１７】
【図１】本発明の実施の形態に係る消火栓装置の閉扉状態の正面図である。
【図２】本発明の実施の形態に係る消火栓装置の開扉状態の正面図である。
【図３】本発明の実施の形態に係る消火栓装置のホースガイドの作用を説明する説明図である（その１）。
【図４】本発明の実施の形態に係る消火栓装置のホースガイドの作用を説明する説明図である（その２）。
【図５】本発明の実施の形態に係る消火栓装置のホースガイドの作用を説明する説明図である（その３）。
【図６】本発明の実施の形態に係る消火栓装置のホースガイドの作用を説明する説明図である（その４）。
【図７】本発明の実施の形態に係る消火栓装置のホースガイドの作用を説明する説明図である（その５）。
【図８】本発明のホースガイドの他の態様の説明図である（その１）。
【図９】本発明のホースガイドの他の態様の説明図である（その２）。
【図１０】消火栓装置に収容されるホースの内巻きを説明する説明図である。
【発明を実施するための形態】
【００１８】
本実施の形態に係る消火栓装置１は、図１に示すように、筐体３内に消火用のホース５を内巻きして収容するホース収容部７と筐体３の前面パネル９に形成した前面開口部９ａに開閉可能に設けた前面扉としての前傾式扉１１とを有し、前傾式扉１１を開放した状態で前面開口部９ａからホース５を引き出すものであって、前面開口部９ａに配置されると共に前後方向に揺動可能にホースガイド１３が設けられている。
以下においては、消火栓装置１の全体構成を概説した後、本発明の特徴部分であるホースガイド１３について詳細に説明する。
【００１９】
＜消火栓装置の全体構成＞
消火栓装置１は、図１、図２に示すように、箱状の筺体３と、筐体３の前面に設けられた前面開口部９ａを有する前面パネル９と、前面パネル９の前面開口部９ａに開閉可能に設けられた前傾式扉１１とを備えている。
なお、本明細書において、消火栓装置１における位置を示す用語としての「前」とは、図１〜９における前面パネル９側をいい、「後」とは背面パネル３５側をいう。
以下、各構成を詳細に説明する。
【００２０】
＜筐体＞
筐体３は、図１、図２に示すように、矩形の箱状からなり、筐体３内には内巻きに巻き回されたホース５を収納するホース収容部７が設けられ、またホース収容部７の右側に、メンテナンス弁等を有する配管系統１５が設けられている。配管系統１５は、その先端側がホース収容部７の側部に位置し、該先端にホース５の基端側が接続され、配管系統１５の基端側は図示しない給水源に接続されており、筐体３外に図示しない消火栓弁や自動調圧弁を備えている。
【００２１】
＜前面パネル＞
前面パネル９は、筐体３の前面に設けられ、ホース収容部７における中央開口部１７の前方に位置する部位が開口しており、この前面開口部９ａを開閉可能に前傾式扉１１が取り付けられ、また前面パネル９の左側には消火器扉１９が開閉可能に設けられている。
【００２２】
＜前傾式扉＞
前傾式扉１１は板状の金属板から構成された横長の矩形状をしており、上述のように前面パネル９の前面開口部９ａを開閉可能に取り付けられている。
前傾式扉１１は、下辺両端に回動軸２１が設けられ、前面開口部９ａを閉鎖状態から、図２に示すように、略１８０°開くことができる。
前傾式扉１１の内面側には、消火ノズル２３を着脱可能に保持するノズル保持部２５及び、ホース５に消火水を供給する消火水供給管路に設けられた消火栓弁を開閉操作する操作レバー２７が設けられている。
なお、前傾式扉１１におけるノズル保持部２５に対応する箇所は透明なアクリル板が設置されており、前傾式扉１１の内面側に着脱可能に固定されている消火ノズル２３が見える。
【００２３】
＜ホース収容部＞
ホース収容部７は、図１〜図７に示すように、中央開口部１７を挟んで立設された一対の縦辺部２９と、一対の縦辺部２９の上端同士及び下端同士を連結するように設けられた一対の横辺部３１を備え、この枠体における一対の縦辺部２９に平面視で略L字状の帯板部３３が一対設けられている。
ホース５は、この一対の帯板部３３と背面パネル３５との空間において内巻きされている（図７参照）。
【００２４】
＜ホースガイド＞
ホースガイド１３は、前面開口部９ａに配置されると共に前後方向に揺動可能に取り付けられ、引き出されるホース５を支持してガイドするものである。
具体的には、図３に示すように、下方に凸となるように湾曲した金属パイプ３７にチェーン３９を挿通し、チェーン３９の両端を縦辺部２９に設けられた係止部４１に着脱可能に取り付けて構成されている。
チェーン３９の両端が係止部４１に係止されることで、チェーン３９が挿通された金属パイプ３７が前後に揺動するようになっている。
【００２５】
チェーン３９の端部を着脱可能に取り付ける方法としては、チェーン３９の端部に例えばカラビナのようにリングを開閉できる部品を取り付けて、カラビナの開閉機能を利用するようにすればよい。
なお、図３に示すように、図中右側のチェーン３９は長さに余裕があるので、カラビナを取り付ける位置を変更することでチェーン３９の垂れ下がり量を変えることができる。これによって、金属パイプ３７の高さ位置を変更することができる。金属パイプ３７の高さ位置とホースガイド１３としての機能との関係については後述する。
【００２６】
以上のように構成された本実施の形態の消火栓装置１について、特にホースガイド１３の機能について以下詳細に説明する。
ホース５を正面に引き出す場合、図３に示すように、ホース５がホースガイド１３に支持されるが、このとき図４に示すように、ホースガイド１３が前方側に揺動するので、ホース５がホースガイド１３に支持される位置は前面開口部９ａよりも前方に突出した位置となる。つまり、ホース５を引き出すときに、ホースガイド１３が揺動することで、ホースガイド１３のホース支持位置を自動的に張り出させることができる。これによって、図４に示すように、前面開口部９ａの下側でのホース５の屈曲の曲率半径を大きくすることができ、ホース引出しの円滑化が図れると共に放水圧に悪影響を及ぼすことがない。
【００２７】
この点、特許文献１ではこの効果を得るために固定されたパイプによって張出ホースガイド部を構成していたので、張出し分だけ筐体内にスペースが必要となり筐体の薄型化が阻害されていた。これに対して、本実施の形態では、ホース引出し時にホース引き出しの操作によって自動的にホースガイド１３が張り出し、ホース５を引き出さないときには筐体３内に収まるようになっているので、筐体３の薄型化と共にホース引き出しの円滑化を実現できている。
【００２８】
また、ホース５を横方向、例えば図５に示すように図中左側に引き出す場合、あるいは図６に示すように図中右側に引き出す場合にも、正面に引き出す場合と同様にホースガイド１３が前方に揺動するので、上述の効果と同様の効果が得られる。さらに、ホース５を横方向に引き出す場合、ホースガイド１３を構成する金属パイプ３７が下方に凸となるように湾曲しているので、引き出されるホース５の支持位置は、図５、図６に示すように、前面開口部９ａの両端近傍にまでは移動することなく中央寄りの位置となる。
このため、図７（ｂ）に示すようにホースガイド１３がない場合に比較して、同じ方向に引き出す場合でも、図７（ａ）に示すように、ホース５の屈曲の曲率半径を大きくすることができ、ホース引出しの円滑化を図ることができる。
【００２９】
なお、上記の実施の形態で示したホースガイド１３は、本発明における「下方に向かって凸となるように湾曲又は屈曲した棒状体を吊下げ支持してなる」ものの一態様であるが、棒状体の例としては、金属パイプ３７に限られず、樹脂製のパイプであってもよい。また、棒状体としてはパイプのような中空体でなくても中実のものであってもよく、この場合には、棒状体の両端をチェーン等で吊下げ支持するようにすればよい。
さらに、上記の実施の形態は棒状体が湾曲する場合の例であるが、棒状体は屈曲されたものであってもよい。この場合、例えば倒立させた台形のように上底を底辺として、斜辺の上端を揺動可能に吊下げるようにすればよい。
【００３０】
また、ホースガイド１３の他の態様としては、図８に示すように、金属パイプ３７を設けることなく、チェーン３９のみで構成してもよい。この場合は、本発明のホースガイド１３が「下方に向かって凸となるように垂れ下がる変形自在な線状の部材からなる」ものの一態様となる。
このような線状の部材の場合、ホース５を横方向に引き出す場合には、図８に示すチェーン３９のように、チェーン３９が前方に揺動すると共に屈曲変形してホース５の横への移動を規制しながらガイドするので、上記の実施の形態と同様の効果を奏することができる。
なお、線状の部材のチェーン３９以外の例としては、例えばある程度の太さ（例えば、直径１〜４cm程度）を有するワイヤロープ等が挙げられる。
【００３１】
上記の実施の形態では金属パイプ３７が下方に向かって凸となるように湾曲していることで、ホース５を横方向に引き出す際に、ホース５が前面開口部９ａの端に移動するのを規制してホース５の屈曲の曲率半径を大きくしていた。
このように、ホース５を横方向に引き出す際のホース５の屈曲の曲率半径を大きくするための手段として、例えば、図９に示すように、ホース５を挿通可能なリングからなるリング部材４３の両側をワイヤロープ４５のような紐状の部材で吊下げ支持するようにしてもよい。これよって、ホース５が前面開口部９ａの端に移動するのを規制することができる。このリング部材４３は、本発明の「引き出し時において前記ホースが両端側に移動するのを規制する移動規制部」の一態様である。
【００３２】
なお、上記においては、ホースガイド１３の機能として、ホース引出しの円滑化と筐体３の薄型化を中心に述べたが、本発明のホースガイド１３には、ホース引出し時においてホース５がホース収容部７から独りでに（或いは連鎖的に）繰り出されてしまう現象、いわゆるホースのばらけ現象を防止する機能があるので、この点について以下説明する。
【００３３】
まず、本発明のホースガイド１３がホース５の左右への移動範囲を規制することで、引き出し時にホース５が前面開口部９ａの左右端まで移動するのに比較して左右移動量が少なくなるので、筐体３内で内巻きされているホースへの引き出し力の影響を緩和でき、これによってホースのばらけ現象を防止できる。
また、ホースガイド１３が支持するホース５の位置が、前面開口部９ａの下辺の位置よりも高くなることで、引き出されるホース５が支持される位置よりも下方に残存するホース５の量が多くなり、充水時においてホース５が下方に押し付ける力が強くなり、これによってホースのばらけ現象を防止できる。
さらに、ホースガイド１３は前面開口部９ａの左右に亘って設けられているので、内巻きされたホース５の巻きの上辺側のものが前面開口部９ａに倒れ込んだときにこれに当接して支持することで、ホースのばらけ現象を防止できる。
【００３４】
このような、ホースのばらけ現象防止の観点からは、ホースガイド１３の前面開口部９ａにおける高さ位置を調整できるのが好ましい。なぜなら、ホース５の倒れ込みを防止する観点からはホースガイド１３の位置が高すぎるのは好ましくなく、また、ホース５の支持位置よりも下方のホース量を多くするという観点からはホースガイド１３の位置を高めにすることが好ましく、これらを両立する位置に調整できるのが好適であるためである。
【００３５】
なお、ホースガイド１３の端部を着脱可能にした場合、ホース５を内巻きする際にはホースガイド１３の一端を取り外した状態にすることで、内巻き作業を円滑にできる。
しかしながら、内巻き作業が完了した時点で、ホースガイド１３の一端を係止部４１に係止させるのを忘れることが考えられる。
これを防止するために、ホースガイド１３の一端を一時的に保持するための仮保持部を筐体３又は筐体３内部、前傾式扉１１の裏側（前傾式扉１１を開放した際の前面側）等に設け、該仮保持部にホースガイド１３の一端を保持した状態では前傾式扉１１がホースガイド１３と干渉して閉止できないようにし、内巻き作業時にはホースガイド１３の一端を前記仮保持部に保持し、内巻き作業が完了した時点で、前記仮保持部から係止部４１にホースガイド１３の一端を掛け替えるようにするのが好ましい。
【００３６】
上記の実施の形態では、ホースガイド１３の両端の取り付け位置として、縦辺部２９に設けられた係止部４１に取り付け、ホースガイド１３が前面開口部９ａを左右に亘って横切るようにした例を示した、しかし、本発明のホースガイドは、前面開口部９ａに配置されると共に前後方向に揺動可能に取り付けられ、引き出されるホースを支持するものであればよく、両端の取り付け位置は特に限定されない。
したがって、例えばホースガイドの両端を前面開口部の上部（上辺部）の両端付近に取り付けて、下方に向かって垂れ下がるようにしてもよいし、あるいはホースガイドの一端を前面開口部９ａの縦辺部に取り付け、他端を前面開口部の上部（上辺部）（前記縦辺部と対向する縦辺部の上端近傍）に取り付けるようにしてもよい。
さらに、図９に示したリング部材４３を用いる場合には、リング部材４３を吊下げ支持するワイヤロープ４５の端部の取り付け位置はより広範囲に選択可能である。
【符号の説明】
【００３７】
１  消火栓装置
３  筐体
５  ホース
７  ホース収容部
９  前面パネル
９ａ  前面開口部
１１  前傾式扉
１３  ホースガイド
１５  配管系統
１７  中央開口部
１９  消火器扉
２１  回動軸
２３  消火ノズル
２５  ノズル保持部
２７  操作レバー
２９  縦辺部
３１  横辺部
３３  帯板部
３５  背面パネル
３７  金属パイプ
３９  チェーン
４１  係止部
４３  リング部材
４５  ワイヤロープ
５１  ホース収容部(従来例)
５３  ホース
【図１】
2019130156.tif 000003
【図２】
2019130156.tif 000004
【図３】
2019130156.tif 000005
【図４】
2019130156.tif 000006
【図５】
2019130156.tif 000007
【図６】
2019130156.tif 000008
【図７】
2019130156.tif 000009
【図８】
2019130156.tif 000010
【図９】
2019130156.tif 000011
【図１０】
2019130156.tif 000012